(57)【要約】【課題】画質調整に慣れていないユーザが画質調整を行う場合であっても、簡易な操作で最適な画質調整が行える。【解決手段】入力された画像データに対し、設定画質調整用パラメータ群を適用して画像を表示する画像表示装置であって、通信ネットワークを介して、外部装置に登録された複数の画質調整用パラメータ群から前記画質調整用パラメータ群を取得し、画像データに対し、取得した画質調整用パラメータ群を含む異なる画質調整用パラメータ群を適用した原比較用画面データを複数生成し、異なる画質調整用パラメータ群が適用された複数の画像を合成した比較用画面を表す比較用画面データを生成する。そして、生成した比較用画面データに基づいて比較用画面を表示し、ユーザに比較用画面に含まれる、互いに適用された画質調整用パラメータ群が異なる複数の画像のうち、いずれかの画像を選択させ、選択された画像に適用された前記画質調整用パラメータ群に基づいて設定画質調整用パラメータ群を設定する。【選択図】図４
2008225372.tif 000002
【特許請求の範囲】
【請求項１】
入力された画像データに対し、設定画質調整用パラメータ群を適用して画像を表示する画像表示装置であって、
通信ネットワークを介して、外部装置に登録された複数の画質調整用パラメータ群から前記画質調整用パラメータ群を取得するパラメータ群取得部と、
前記画像データに対し、前記パラメータ群取得部により取得した前記画質調整用パラメータ群を含む異なる前記画質調整用パラメータ群を適用した原比較用画面データを複数生成する原比較画面生成部と、
前記原比較画面生成部が生成した前記原比較用画面データに基づいて、異なる前記画質調整用パラメータ群が適用された複数の画像を合成した比較用画面を表す比較用画面データを生成する比較画面生成部と、
前記比較画面生成部が生成した前記比較用画面データに基づいて前記比較用画面を表示する表示部と、
前記比較用画面に含まれる、互いに適用された画質調整用パラメータ群が異なる複数の画像のうち、いずれかの画像を選択させる選択部と、
前記選択された画像に適用された前記画質調整用パラメータ群に基づいて前記設定画質調整用パラメータ群を設定するパラメータ設定部と、
を備えたことを特徴とする画像表示装置。
【請求項２】
請求項１記載の画像表示装置において、
前記通信ネットワークを介して取得される前記画質調整用パラメータ群は、所定のカテゴリ毎に分類されており、
前記入力された画像データが属するカテゴリを判別する画像カテゴリ判別部を備え、
前記パラメータ群取得部は、前記画像カテゴリ判別部により判別された前記入力された画像データに対応する前記カテゴリに属する前記画質調整用パラメータ群を取得することを特徴とする画像表示装置。
【請求項３】
請求項２記載の画像表示装置において、
前記カテゴリは、階層構造をなしており、
前記パラメータ群取得部は、前記入力された画像データに対応する前記カテゴリに属する前記画質調整用パラメータ群が所定数以下である場合には、前記カテゴリの上位階層の前記カテゴリに属する前記画質調整用パラメータ群を取得することを特徴とする画像表示装置。
【請求項４】
請求項１ないし請求項３のいずれかに記載の画像表示装置において、
前記比較画面生成部は、前記比較用画面データが一画面に表示可能な数を超えている場合には、前記比較用画面データを複数生成することを特徴とする画像表示装置。
【請求項５】
請求項４記載の画像表示装置において、
前記比較画面生成部は、第１の前記比較用画面データを生成し、前記選択部により前記第１の前記比較用画面データに含まれる画像が選択されると、前記選択された画像に対応する前記原比較用画面データに基づいて、第２の前記比較用画面データを生成することを特徴とする画像表示装置。
【請求項６】
請求項１ないし請求項５のいずれかに記載の画像表示装置において、
前記外部装置には、前記画質調整用パラメータ群に対応づけて自己および他の複数の画像表示装置における選択結果情報が格納されており、
前記パラメータ群取得部は、前記選択結果情報を参照し、より多く取得されている前記画質調整用パラメータ群を取得することを特徴とする画像表示装置。
【請求項７】
請求項１ないし請求項６のいずれかに記載の画像表示装置において、
前記選択部は、複数の画像を選択させるようになっており、
前記画質調整用パラメータ群を構成する画質調整用パラメータについて微調整を行わせる微調整操作部と、
前記選択部を介して選択された前記複数の画像に適用された複数の前記画質調整用パラメータ群を構成するそれぞれの前記画質調整用パラメータについて、前記微調整に応じて前記画質調整用パラメータの値の線形補間を行った新たな画質調整用パラメータで構成される新たな画質調整用パラメータ群を生成するパラメータ生成部と、
を備えたことを特徴とする画像表示装置。
【請求項８】
請求項１ないし請求項７のいずれかに記載の画像表示装置において、
前記画質調整用パラメータは、明るさ、コントラスト、色の濃さ、色相、シャープネスおよび色温度のうち少なくともいずれかを含むことを特徴とする画像表示装置。
【請求項９】
画像表示装置に対し、画質調整用パラメータ群を提供する画質調整情報提供装置であって、
前記画質調整用パラメータ群を構成する画質調整用パラメータを記憶する画質調整用パラメータ記憶手段と、
前記画質調整用パラメータ群について、前記画像表示装置における選択情報を保存する選択情報保存部と、
前記画像表示装置から送信された、前記画質調整用パラメータ群の取得依頼を受信する受信部と、
前記前記画質調整用パラメータ群の取得依頼に対応して、前記画質調整用パラメータ記憶手段から、前記画像表示装置に送信する画質調整用パラメータ群を決定する画質調整用パラメータ群決定部と、
前記決定された前記画質調整用パラメータ群及び、前記決定された前記画質調整用パラメータ群の前記選択情報を前記画像表示装置に送信する送信部と、
を備えたことを特徴とする画質調整情報提供装置。
【請求項１０】
通信ネットワークを介して通信を行う通信部と、各種操作を行う操作部と、演算部と、入力された画像データに対し、設定画質調整用パラメータ群を適用して画像を表示する表示部とを有する画像表示装置における画像表示方法であって、
前記通信部が、前記通信ネットワークを介して、外部装置に登録された複数の画質調整用パラメータ群から前記画質調整用パラメータ群を取得するパラメータ群取得過程と、
前記演算部が、前記画像データに対し、前記パラメータ群取得過程において取得した前記画質調整用パラメータ群を含む異なる前記画質調整用パラメータ群を適用した原比較用画面データを複数生成する原比較画面生成過程と、
前記演算部が、前記原比較画面生成過程において生成した前記原比較用画面データに基づいて、異なる前記画質調整用パラメータ群が適用された複数の画像を合成した比較用画面を表す比較用画面データを生成する比較画面生成過程と、
前記表示部が、前記比較画面生成過程において生成した前記比較用画面データに基づいて前記比較用画面を表示する表示過程と、
前記操作部が、前記比較用画面に含まれる、互いに適用された前記画質調整用パラメータ群が異なる複数の画像のうち、いずれかの画像を選択させる選択過程と、
前記演算部が、前記選択された画像に適用された前記画質調整用パラメータ群に基づいて前記設定画質調整用パラメータ群を設定するパラメータ設定過程と、
を備えたことを特徴とする画像表示方法。
【請求項１１】
通信ネットワークを介して通信を行う通信部と、各種操作を行う操作部と、入力された画像データに対し、設定画質調整用パラメータ群を適用して画像を表示する表示部とを有する画像表示装置としてコンピュータ機能させるための制御プログラムであって、前記コンピュータを、
前記通信ネットワークを介して、外部装置に登録された複数の画質調整用パラメータ群から前記画質調整用パラメータ群を取得するパラメータ群取得部と、
前記画像データに対し、前記パラメータ群取得部により取得した前記画質調整用パラメータ群を含む異なる前記画質調整用パラメータ群を適用した原比較用画面データを複数生成する原比較画面生成部と、
前記原比較画面生成部が生成した前記原比較用画面データに基づいて、異なる前記画質調整用パラメータ群が適用された複数の画像を合成した比較用画面を表す比較用画面データを生成する比較画面生成部と、
前記比較画面生成部が生成した前記比較用画面データに基づいて前記比較用画面を表示する表示部と、
前記比較用画面に含まれる、互いに適用された画質調整用パラメータ群が異なる複数の画像のうち、いずれかの画像を選択させる選択部と、
前記選択された画像に適用された前記画質調整用パラメータ群に基づいて前記設定画質調整用パラメータ群を設定するパラメータ設定部と、
して機能させることを特徴とする制御プログラム。
【発明の詳細な説明】
【技術分野】
【０００１】
本発明は、画像表示装置、画質調整情報提供装置、画像表示方法および制御プログラムに係り、特にユーザが所望の画質調整を行うのに好適な画像表示装置、画質調整情報提供装置、画像表示方法および制御プログラムに関する。
【背景技術】
【０００２】
テレビ放送やＤＶＤなどの映像信号を表示する映像表示装置には、ユーザが調整可能な明るさ、コントラスト、色の濃さ、色相、シャープネス、色温度などの調整項目からなる画質調整機能があり、個別に調整することも可能であるが、通常、これらをあらかじめ設定したプリセット値として、ダイナミック、スタンダード、シアターなどのモード（プリセット）が準備されている。
例えば、ダイナミックモードでは、コントラストや色の濃さを強調して、日中のリビングルームなどの明るい場所でテレビ番組を視聴しやすく設定される。またシアターモードでは、コントラストや色の濃さを控えめにして、明るさ（ブライトネス）は映像信号の黒レベルの階調性が判別できる程度にするなど、薄暗い場所で映画のコンテンツを視聴しやすく設定される。
すなわち、最適な調整は、コンテンツの種類や、視聴環境の明るさ、各ユーザの好みによって異なるので、プリセットされたモードをユーザが任意に選択するような構成を採っていた。
しかしながら、これらの画質調整機能を使いこなしているユーザは少なく、ほとんどのユーザはデフォルト設定のままで表示をおこなわせているのが実情であった。
これは、設定するにしても上述したように設定項目が多く、なかなか思うような設定が行えないことも理由の一つであった。
【０００３】
これを解決するために、特許文献１には、マルチ画面を利用して、推奨する画質調整画面を表示して、選択を行わせることにより、画質調整操作を容易にするための技術が開示されている。
【特許文献１】特開２００２−２１８３５０号公報
【発明の開示】
【発明が解決しようとする課題】
【０００４】
しかしながら、特許文献１記載の技術においては、推奨された画質調整画面と、ユーザの嗜好する画質調整後画面とのずれが大きい場合には、結局ユーザがマニュアル操作で画質調整を行う必要があり、必ずしも最適な画質調整操作が行えないという問題点があった。特に画質調整操作になれていないユーザの場合、操作が煩わしいにもかかわらず、最適な画質調整が必ずしも行えないという問題点があった。
そこで、本発明の目的は、画質調整に慣れていないユーザが画質調整を行う場合であっても、簡易な操作で画質調整が行える画像表示装置、画像表示方法および制御プログラムを提供することにある。
【課題を解決するための手段】
【０００５】
上記課題を解決するため、本発明の第一形態は、入力された画像データに対し、設定画質調整用パラメータ群を適用して画像を表示する画像表示装置であって、通信ネットワークを介して、外部装置に登録された複数の画質調整用パラメータ群から前記画質調整用パラメータ群を取得するパラメータ群取得部と、前記画像データに対し、前記パラメータ群取得部により取得した前記画質調整用パラメータ群を含む異なる前記画質調整用パラメータ群を適用した原比較用画面データを複数生成する原比較画面生成部と、前記原比較画面生成部が生成した前記原比較用画面データに基づいて、異なる前記画質調整用パラメータ群が適用された複数の画像を合成した比較用画面を表す比較用画面データを生成する比較画面生成部と、前記比較画面生成部が生成した前記比較用画面データに基づいて前記比較用画面を表示する表示部と、前記比較用画面に含まれる、互いに適用された画質調整用パラメータ群が異なる複数の画像のうち、いずれかの画像を選択させる選択部と、前記選択された画像に適用された前記画質調整用パラメータ群に基づいて前記設定画質調整用パラメータ群を設定するパラメータ設定部と、を備えたことを特徴としている。
上記構成によれば、パラメータ群取得部は、通信ネットワークを介して、外部装置に登録された複数の画質調整用パラメータ群から前記画質調整用パラメータ群を取得する。
原比較画面生成部は、画像データに対し、パラメータ群取得部により取得した画質調整用パラメータ群を含む異なる画質調整用パラメータ群を適用した原比較用画面データを複数生成する。
これにより、比較画面生成部は、原比較画面生成部が生成した原比較用画面データに基づいて、異なる画質調整用パラメータ群が適用された複数の画像を合成した比較用画面を表す比較用画面データを生成し、表示部は、比較画面生成部が生成した比較用画面データに基づいて比較用画面を表示する。
これと並行して、ユーザに選択部を介して、比較用画面に含まれる、互いに適用された画質調整用パラメータ群が異なる複数の画像のうち、いずれかの画像を選択させると、パラメータ設定部は、選択された画像に適用された前記画質調整用パラメータ群に基づいて前記設定画質調整用パラメータ群を設定する。
したがって、ユーザは、通信ネットワークを介して、外部装置から取得した一または複数の画質調整用パラメータ群に基づいて生成された比較用画面を参照して所望の画像を選択するだけで、所望の画質調整用パラメータを設定画質調整用パラメータとして設定できることとなり、特に画質調整に慣れていない場合であっても、例えば、画質調整に慣れた他のユーザが設定した画質調整用パラメータ群を利用して、画像（コンテンツ）の種類に対応させて、画質調整を容易に行える。
【０００６】
また、本発明の第二形態は、第一形態の画像表示装置において、前記通信ネットワークを介して取得される前記画質調整用パラメータ群は、所定のカテゴリ毎に分類されており、前記入力された画像データが属するカテゴリを判別する画像カテゴリ判別部を備え、前記パラメータ群取得部は、前記画像カテゴリ判別部により判別された前記入力された画像データに対応する前記カテゴリに属する前記画質調整用パラメータ群を取得することを特徴としている。
上記構成によれば、パラメータ群取得部は、画像カテゴリ判別部により判別された入力された画像データに対応する前記カテゴリに属する画質調整用パラメータ群を取得するので、ユーザが意識しなくても、表示する画像データに適した画質調整用パラメータ群を取得することができる。
【０００７】
また、本発明の第三形態は、第二形態の画像表示装置において、前記カテゴリは、階層構造をなしており、前記パラメータ群取得部は、前記入力された画像データに対応する前記カテゴリに属する前記画質調整用パラメータ群が所定数以下である場合には、前記カテゴリの上位階層の前記カテゴリに属する前記画質調整用パラメータ群を取得することを特徴としている。
上記構成によれば、最適な画質調整用パラメータ群が得られないような状況下でも、最適とはいえないまでも、より適した画質調整用パラメータ群を取得することができ、より容易に画質調整が行える。
【０００８】
また、本発明の第四形態は、第一形態ないし第三形態のいずれかに記載の画像表示装置において、前記比較画面生成部は、前記比較用画面データが一画面に表示可能な数を超えている場合には、前記比較用画面データを複数生成することを特徴としている。
上記構成によれば、取得した画質調整用パラメータ群が一つの比較用画面として表示しきれない場合でも、複数の比較用画面を得ることにより、ユーザは多彩な選択肢の中から、より自分の好みにあった画質を選択することが可能となる。
【０００９】
また、本発明の第五形態は、第四形態の画像表示装置において、前記比較画面生成部は、第１の前記比較用画面データを生成し、前記選択部により前記第１の前記比較用画面データに含まれる画像が選択されると、前記選択された画像に対応する前記原比較用画面データに基づいて、第２の前記比較用画面データを生成することを特徴している。
上記構成によれば、複数の比較用画面に分かれて表示された各画質調整用パラメータ群に対応する原比較用画面を選択後に、一つの比較用画面で比較することができるので、より自分の好みにあった画質を選択して調整を行わせることができる。
【００１０】
また、本発明の第六形態は、第一形態ないし第五形態のいずれかに記載の画像表示装置において、前記外部装置には、前記画質調整用パラメータ群に対応づけて自己および他の複数の画像表示装置における選択結果情報が格納されており、前記パラメータ群取得部は、前記選択結果情報を参照し、より多く取得されている前記画質調整用パラメータ群を取得することを特徴としている。
上記構成によれば、より多くのユーザが選択し、利用している画質調整用パラメータ群を取得するので、画質調整に慣れていないユーザであっても、より最適と思われる画質調整用パラメータ群の中から画質調整用パラメータ群を選択できることとなり、容易により好ましい画質に調整することができる。
【００１１】
また、本発明の第七形態は、第一形態ないし第六形態のいずれかに記載の画像表示装置において、前記選択部は、複数の画像を選択させるようになっており、前記画質調整用パラメータ群を構成する画質調整用パラメータについて微調整を行わせる微調整操作部と、前記選択部を介して選択された前記複数の画像に適用された複数の前記画質調整用パラメータ群を構成するそれぞれの前記画質調整用パラメータについて、前記微調整に応じて前記画質調整用パラメータの値の線形補間を行った新たな画質調整用パラメータで構成される新たな画質調整用パラメータ群を生成するパラメータ生成部と、を備えたことを特徴としている。
上記構成によれば、微調整操作部は、前記画質調整用パラメータ群を構成する画質調整用パラメータについて微調整を行わせる。
これと並行して、パラメータ生成部は、選択部を介して選択された前記複数の画像に適用された複数の前記画質調整用パラメータ群を構成するそれぞれの前記画質調整用パラメータについて、前記微調整に応じて前記画質調整用パラメータの値の線形補間を行った新たな画質調整用パラメータで構成される新たな画質調整用パラメータ群を生成する。
したがって、ユーザは、微調整操作部において、操作の結果得られる画像をより好みの画像に設定するだけで、より最適な画質に調整することが可能となる。
【００１２】
また、本発明の第八形態は、第一形態ないし第七形態のいずれかに記載の画像表示装置において、前記画質調整用パラメータは、明るさ、コントラスト、色の濃さ、色相、シャープネスおよび色温度のうち少なくともいずれかを含むことを特徴としている。
上記構成によれば、様々な条件で比較用画面を生成することができる。
また、本発明の第九形態は、画像表示装置に対し、画質調整用パラメータ群を提供する画質調整情報提供装置であって、前記画質調整用パラメータ群を構成する画質調整用パラメータを記憶する画質調整用パラメータ記憶手段と、前記画質調整用パラメータ群について、前記画像表示装置における選択情報を保存する選択情報保存部と、前記画像表示装置から送信された、前記画質調整用パラメータ群の取得依頼を受信する受信部と、前記前記画質調整用パラメータ群の取得依頼に対応して、前記画質調整用パラメータ記憶手段から、前記画像表示装置に送信する画質調整用パラメータ群を決定する画質調整用パラメータ群決定部と、前記決定された前記画質調整用パラメータ群及び、前記決定された前記画質調整用パラメータ群の前記選択情報を前記画像表示装置に送信する送信部と、を備えたことを特徴としている。
上記構成によれば、画質調整用パラメータ記憶部は、画質調整用パラメータ群を構成する画質調整用パラメータを記憶する。また、選択情報保存部は、画質調整用パラメータ群について、画像表示装置における選択情報を保存する。
一方、受信部は、前記画像表示装置から送信された、前記画質調整用パラメータ群の取得依頼を受信する。
これにより、画質調整用パラメータ群決定部は、前記画質調整用パラメータ群の取得依頼に対応して、画質調整用パラメータ記憶部から、画像表示装置に送信する画質調整用パラメータ群を決定する。
これらの結果、送信部は、決定された画質調整用パラメータ群及び、決定された画質調整用パラメータ群の選択情報を画像表示装置に送信する。
したがって、ユーザは、通信ネットワークを介して画質調整情報提供装置から取得した一または複数の画質調整用パラメータ群に基づいて生成された比較用画面を参照して所望の画像を選択するだけで、所望の画質調整用パラメータを設定画質調整用パラメータとして設定できることとなり、特に画質調整に慣れていない場合であっても、例えば、画質調整に慣れた他のユーザが設定した画質調整用パラメータ群を利用して、画像（コンテンツ）の種類に対応させて、画質調整を容易に行える。
【００１３】
また、本発明の第十形態は、通信ネットワークを介して通信を行う通信部と、各種操作を行う操作部と、演算部と、入力された画像データに対し、設定画質調整用パラメータ群を適用して画像を表示する表示部とを有する画像表示装置における画像表示方法であって、前記通信部が、前記通信ネットワークを介して、外部装置に登録された複数の画質調整用パラメータ群から前記画質調整用パラメータ群を取得するパラメータ群取得過程と、前記演算部が、前記画像データに対し、前記パラメータ群取得過程において取得した前記画質調整用パラメータ群を含む異なる前記画質調整用パラメータ群を適用した原比較用画面データを複数生成する原比較画面生成過程と、前記演算部が、前記原比較画面生成過程において生成した前記原比較用画面データに基づいて、異なる前記画質調整用パラメータ群が適用された複数の画像を合成した比較用画面を表す比較用画面データを生成する比較画面生成過程と、前記表示部が、前記比較画面生成過程において生成した前記比較用画面データに基づいて前記比較用画面を表示する表示過程と、前記操作部が、前記比較用画面に含まれる、互いに適用された前記画質調整用パラメータ群が異なる複数の画像のうち、いずれかの画像を選択させる選択過程と、前記演算部が、前記選択された画像に適用された前記画質調整用パラメータ群に基づいて前記設定画質調整用パラメータ群を設定するパラメータ設定過程と、を備えたことを特徴としている。
【００１４】
上記構成によれば、ユーザは、通信ネットワークを介して、外部装置から取得した一または複数の画質調整用パラメータ群に基づいて生成された比較用画面を参照して所望の画像を選択するだけで、所望の画質調整用パラメータを設定画質調整用パラメータとして設定できることとなり、特に画質調整に慣れていない場合であっても、例えば、画質調整に慣れた他のユーザが設定した画質調整用パラメータ群を利用して、画像（コンテンツ）の種類に対応させて、画質調整を容易に行える。
【００１５】
また、本発明の第十一形態は、通信ネットワークを介して通信を行う通信部と、各種操作を行う操作部と、入力された画像データに対し、設定画質調整用パラメータ群を適用して画像を表示する表示部とを有する画像表示装置としてコンピュータ機能させるための制御プログラムであって、前記コンピュータを、前記通信ネットワークを介して、外部装置に登録された複数の画質調整用パラメータ群から前記画質調整用パラメータ群を取得するパラメータ群取得部と、前記画像データに対し、前記パラメータ群取得部により取得した前記画質調整用パラメータ群を含む異なる前記画質調整用パラメータ群を適用した原比較用画面データを複数生成する原比較画面生成部と、前記原比較画面生成部が生成した前記原比較用画面データに基づいて、異なる前記画質調整用パラメータ群が適用された複数の画像を合成した比較用画面を表す比較用画面データを生成する比較画面生成部と、前記比較画面生成部が生成した前記比較用画面データに基づいて前記比較用画面を表示する表示部と、前記比較用画面に含まれる、互いに適用された画質調整用パラメータ群が異なる複数の画像のうち、いずれかの画像を選択させる選択部と、前記選択された画像に適用された前記画質調整用パラメータ群に基づいて前記設定画質調整用パラメータ群を設定するパラメータ設定部と、して機能させることを特徴としている。
【００１６】
上記構成によれば、ユーザは、通信ネットワークを介して、外部装置から取得した一または複数の画質調整用パラメータ群に基づいて生成された比較用画面を参照して所望の画像を選択するだけで、所望の画質調整用パラメータを設定画質調整用パラメータとして設定できることとなり、特に画質調整に慣れていない場合であっても、例えば、画質調整に慣れた他のユーザが設定した画質調整用パラメータ群を利用して、画像（コンテンツ）の種類に対応させて、画質調整を容易に行える。
この場合において、制御プログラムをコンピュータ読取可能な記録媒体に記録するようにしても良い。
【発明を実施するための最良の形態】
【００１７】
次に本発明の好適な実施の形態について図面を参照して説明する。
［１］第１実施形態
図１は、第１実施形態の画質調整システムの概要構成ブロック図である。
画質調整システム１は、推奨する画質調整用パラメータ群を予め複数格納した画質調整用パラメータデータベース（ＤＢ）２が接続された画質調整用パラメータ提供サーバ３と、画質調整用パラメータ提供サーバ３とＬＡＮ、インターネットなどの通信ネットワーク４を介して接続された複数の画像表示装置１０-1、１０-2と、を備えて構成されている。
図２は、画像表示装置の概要構成ブロック図である。
この場合において、画像表示装置１０-1、１０-2は、同様の構成であるので、画像表示装置１０-1を例として説明する。
画像表示装置１０-1は、パーソナルコンピュータとして構成されており、画像処理を行う画像表示装置本体１１と、各種画像入力を行う画像入力装置１２と、各種操作を行うためのキーボード、マウスなどの入力装置１３と、各種表示を行う液晶ディスプレイなどの表示装置１４と、各種データを記憶するハードディスク装置などの外部記憶装置１５と、を備えている。
画像表示装置本体１１は、当該画像表示装置本体１１全体の制御を行うマイクロプロセッサユニット（ＭＰＵ）２１と、表示制御プログラムを含む各種データを記憶するＲＯＭ２２と、各種データを一時的に記憶するＲＡＭ２３と、通信ネットワーク４との間のインタフェース動作を行う通信インタフェース部２４と、を備えている。
【００１８】
図３は、画像表示装置の機能ブロック図である。
画像表示装置１０-1は、入力装置１３から入力された情報に基づいて画質調整を行い表示装置に表示する画質調整部２５と、画像（コンテンツ）を取得するコンテンツ取得部２６と、コンテンツ取得部２６において取得した画像および入力装置１３から入力された情報に基づいて取得した画像の属するカテゴリ（分野）を取得するカテゴリ取得部２７と、コンテンツ取得部２６において取得した画像の画像特徴量を算出する画像特徴量算出部２８と、画質調整部２５において画質調整を行った結果得られる新規の画質調整用パラメータ群あるいは画質調整用パラメータ群の選択結果の画質調整用パラメータ提供サーバ３への送信若しくは画質調整用パラメータ提供サーバ３に対する推奨される画質調整用パラメータ群の取得依頼を送信する送信部２９と、画質調整用パラメータ提供サーバ３から送信された推奨される画質調整用パラメータ群を受信する受信部３０と、を備えている。
【００１９】
図４は、画像表示装置の画質調整部の機能ブロック図である。
画像表示装置１０-1は、画像入力端子３１から入力された第１画像データＤＧ１をフレーム単位で記憶する第１フレームメモリ３２と、画像入力端子３１から入力された第１画像データＤＧ１あるいは第１フレームメモリ３２から出力された画像信号である第２画像データＤＧ２のいずれかを、第１選択指示信号Ｓｓ１に基づいて排他的に出力する第１切換部３３と、第１切換部３３から出力された画像信号（第１画像データＤＧ１あるいは第２画像データＤＧ２）に対し、パラメータ調整指示データＤｐに基づいて画質調整用のパラメータを適用し、画質調整画像データＤＧＣとして出力する画質調整部３４と、画質調整画像データＤＧＣに対応する画像の画面サイズを縮小して縮小画像データＤＣを出力する画面縮小部３５と、画面縮小部３５が出力した縮小画像データＤＣをフレーム単位で記憶する４個の第２フレームメモリ３６Ａ〜３６Ｄと、４個の第２フレームメモリ３６Ａ〜３６Ｄが出力した第１縮小画像データＤＣ１〜第４縮小画像データＤＣ４（＝原比較用画面データに相当）を合成して合成比較画像データＤＣＣ（＝比較用画面データに相当）を出力する合成部３７と、ユーザが各種操作を行うとともに、第１選択指示信号Ｓｓ１および第２選択指示信号Ｓｓ２を出力する操作部３８と、操作部３８の操作状態に基づいてパラメータ調整指示データＤｐを出力するパラメータ調整部３９と、操作部３８の操作状態に基づいて４個の第２フレームメモリ３６Ａ〜３６Ｄの制御を行うメモリ設定部４０と、操作部３８が出力した第２選択指示信号Ｓｓ２に基づいて、画質調整部３４が出力した画質調整画像データＤＧＣあるいは合成部３７が出力した合成比較画像データＤＣＣのいずれかを排他的に出力する第２切換部４１と、第２切換部４１が出力した画質調整画像データＤＧＣあるいは合成比較画像データＤＣＣに基づいて表示を行う表示部４２と、を備えている。
【００２０】
図５は、画質調整用パラメータ提供サーバの機能ブロック図である。
画質調整用パラメータ提供サーバ３は、画像表示装置１０-1、１０-2から送信された新規の画質調整用パラメータ群あるいは画質調整用パラメータ群の選択結果若しくは画質調整用パラメータ群の取得依頼を受信する受信部５１と、画像表示装置１０−１、１０−２に対し、推奨する画質調整用パラメータ群を送信する送信部５２と、画質調整用パラメータ群の取得依頼に対応して推奨する画質調整用パラメータ群を決定する画質調整用パラメータ決定部５３と、画像表示装置１０-1、１０-2から送信された新規の画質調整用パラメータ群を画質調整用パラメータデータベース２に保存する画質調整用パラメータ保存部５４と、画像表示装置１０-1、１０-2において使用することが選択された画質調整用パラメータ群の選択回数などの選択情報を画質調整用パラメータ群毎に保存する選択情報保存部５５と、を備えている。
【００２１】
図６は、画質調整用パラメータデータベース（ＤＢ）の構成例を説明する図である。
画質調整用パラメータデータベース２を構成する画質調整用パラメータデータＭ１〜Ｍｎは、大別すると、上位カテゴリデータＤＣＧ１と、下位カテゴリデータＤＣＧ２と、画質調整用パラメータ群ＰＧと、を備えている。
上位カテゴリデータＤＣＧ１は、表示対象のする画像（動画像）が属するカテゴリ（分野）の上位概念を表すものであり、例えば、映画、スポーツ、アニメーション等が挙げられる。
下位カテゴリデータＤＣＧ２は、表示対象の画像の属するカテゴリの下位概念を表すものであり、例えば、上位カテゴリが映画であれば、戦争物、ＳＦ物、ファンタジー物等が挙げられ、上位カテゴリがスポーツであれば、野球（デイゲーム、ナイトゲームを区別しても良い。）、サッカー、陸上、スキー、モータースポーツなどが挙げられる。
【００２２】
画質調整用パラメータ群ＰＧは、上位カテゴリデータＤＣＧ１および下位カテゴリデータＤＣＧ２で定まるカテゴリの画像に対して推奨される複数の画質調整用パラメータ（推奨値）の組み合わせを格納しており、画質調整用パラメータ群ＰＧを構成するパラメータとしては、例えば、明るさパラメータＰＭ１、コントラストパラメータＰＭ２、色の濃さパラメータＰＭ３、色相パラメータＰＭ４、シャープネスパラメータＰＭ５および色温度パラメータＰＭ６の６つのパラメータが設定されている。
各パラメータＰＭ１〜ＰＭ５は、例えば、設定範囲を１０段階に分け、１（最小値）〜１０（最大値）の値が設定可能となっている。また、色温度パラメータＰＭ６については、所定の色温度に対応する値が設定可能となっている。
【００２３】
より具体的には、画質調整用パラメータデータＭ１においては、明るさパラメータＰＭ１＝９、コントラストパラメータＰＭ２＝１０、色の濃さパラメータＰＭ３＝８、色相パラメータＰＭ４＝５、シャープネスパラメータＰＭ５＝９、色温度パラメータＰＭ６＝１１０００［℃］に設定されており、全体として青白い色調で明るさ、コントラスト、色の濃さおよびシャープネスが高いことを示している。また、画質調整用パラメータデータＭｎにおいては、明るさパラメータＰＭ１＝７、コントラストパラメータＰＭ２＝６、色の濃さパラメータＰＭ３＝５、色相パラメータＰＭ４＝３、シャープネスパラメータＰＭ５＝６、色温度パラメータＰＭ６＝４８００［℃］に設定されており、全体として赤っぽい色調で明るさがやや高く、コントラスト、色の濃さおよびシャープネスが標準的であることを示している。
【００２４】
図７は、第１実施形態の処理フローチャートである。
まず、画像表示装置１０−１のＭＰＵ２１は、入力装置１３を介してユーザにより画質調整を行う旨の指示がなされると、表示装置１４に画質調整メニューを表示する（ステップＳ１１）。
続いてユーザが視聴しようとする表示対象の画像（コンテンツ）を入力装置１３を介して指定すると、ＭＰＵ２１は、コンテンツ取得部２６として機能して画像（コンテンツ）を取得するとともに、カテゴリ取得部２７として機能し、当該画像（コンテンツ）の属するカテゴリ（分野、タイトル）を自動取得するための処理を行う（ステップＳ１２）。具体的には、画像の種類に応じて、電子番組表、パッケージ情報を通信インタフェース部２４を介してインターネットの所定のサイトから取得し、取得した電子番組表あるいはパッケージ情報からカテゴリを推定したり、あるいは、画像を再生し、画像特徴量算出部２８として機能して、画像特徴量からカテゴリを推定する処理を行うこととなる。この場合において、画像特徴量の一致度に応じて選択画面の構成順位を変更することにより、ユーザの好みに合致すると思われる候補を早く見つけることが可能になる。
【００２５】
次にＭＰＵ２１は、表示対象の画像の属するカテゴリの自動取得の処理が成功したか否かを判別する（ステップＳ１３）。
ステップＳ１３の判別において、表示対象の画像の属するカテゴリの自動取得の処理が不成功であった場合には（ステップＳ１３；いいえ）、ＭＰＵ２１は、表示装置１４にユーザにカテゴリ情報を入力させるためのカテゴリ入力画面を表示させ（ステップＳ１７）、ユーザに入力装置１３を介してカテゴリ情報の入力を行わせ（ステップＳ１８）、処理をステップＳ１４に移行する。
【００２６】
ステップＳ１３の判別において、表示対象の画像の属するカテゴリの自動取得の処理が成功であった場合には（ステップＳ１３；はい）、ＭＰＵ２１は、送信部２９として機能し、画質調整用パラメータ提供サーバ３に対し、通信インタフェース部２４および通信ネットワーク４を介して画質調整用パラメータ提供サーバ３に対する推奨される画質調整用パラメータ群の取得依頼を送信する。これにより、画質調整用パラメータ提供サーバ３は、受信部５１として機能し、画質調整用パラメータ群の取得依頼を受信する。これとともに、画質調整用パラメータ提供サーバ３は、画質調整用パラメータ決定部５３として機能し、画質調整用パラメータデータベース２から推奨する画質調整用パラメータ群を読み出す。この場合において、画質調整用パラメータ提供サーバ３は、図６に示した上位カテゴリデータＤＣＧ１および下位カテゴリデータＤＣＧ２が一致するものを推奨する画質調整用パラメータ群として読み出すこととなるが、下位カテゴリデータＤＣＧ２が一致する画質調整用パラメータ群が少ないかあるいは存在しない場合には、上位カテゴリデータＤＣＧ１が一致する画質調整用パラメータ群も推奨する画質調整用パラメータ群として読み出すこととなる。そして、画質調整用パラメータ提供サーバ３は、今度は送信部５２として機能して推奨する画質調整用パラメータ群と推奨する画質調整用パラメータ群に対応する選択情報を通信ネットワーク４および通信インタフェース部２４を介して、ＭＰＵ２１に送信することにより、ＭＰＵ２１は、画質調整用パラメータ提供サーバ３が推奨する一又は複数の画質調整用パラメータ群及びそれら画質調整用パラメータ群に対応する選択情報を調整値候補として取得することとなる（ステップＳ１４）。
【００２７】
これにより、ＭＰＵ２１は、取得した画質調整用パラメータ群（調整値候補）を用いて画質調整を行った画像を用いて画質調整用の比較画面を表示する（ステップＳ１５）。この場合において、画質調整用の比較画面は、選択情報に基づく順番で比較用の画面が表示されるものとする。
ここで、画質調整用の比較画面について説明する。以下の説明においては、説明の容易化のため、画面調整用の比較画面には、最大４つの比較用の画面が同時に表示されるものとする。
【００２８】
図８は、表示対象の画像に相当する第１画像データの一例の説明図である。
図９は、比較画面表示処理の処理フローチャートである。
以下の説明において、表示対象の画像の属するカテゴリの上位カテゴリは、映画であり、下位カテゴリは戦争物であるものとする。また、画質調整用パラメータのプリセット値は、選択された回数（画像表示装置において選択され、利用された回数）が多い順に、プリセット値Ａ→Ｂ→Ｃとなっているものとする。
ＭＰＵ２１は、画像入力端子３１から入力された、図５に示すような画像Ｇ１に対応する第１画像データＤＧ１をフレーム単位で第１フレームメモリ３２に記憶させる（ステップＳ２１）。
これと並行してＭＰＵ２１は、ユーザの操作部１８の操作により、比較用画面の表示指示がなされ、第１選択指示信号Ｓｓ１が入力されると、第１切換部３３として機能し、第１フレームメモリ３２から出力された画像信号である第２画像データＤＧ２を、画質調整部３４に出力する。また、ＭＰＵ２１は、第２切換部４１として機能し、合成部３７を表示部４２に接続する（ステップＳ２２）。
【００２９】
これにより、画質調整部３４は、第１切換部３３から出力された第２画像データＤＧ２に対し、パラメータ調整指示データＤｐに基づいて第１の画質調整用パラメータのプリセット値Ａ、例えば、画質調整用パラメータデータＭ１の明るさパラメータＰＭ１、コントラストパラメータＰＭ２、色の濃さパラメータＰＭ３、色相パラメータＰＭ４、シャープネスパラメータＰＭ５および色温度パラメータＰＭ６の６つのパラメータを適用し（ステップＳ２３）、画質調整画像データＤＧＣとして画面縮小部３５に出力する。
画面縮小部３５は、画質調整画像データＤＧＣに対応する画像の画面サイズを縮小して縮小画像データＤＣを出力し、この縮小画像データＤＣの出力と並行して、メモリ設定部２０は、縮小画像データＤＣの記憶先を第２フレームメモリ３６Ａに設定するので、画質調整用のパラメータのプリセット値Ａを適用することによって得られた画質調整画像データＤＧＣは、第２フレームメモリ３６Ａに書き込まれ、記憶されることとなる（ステップＳ２４）。
【００３０】
画質調整用のパラメータのプリセット値Ａを適用することによって得られた画質調整画像データＤＧＣの第２フレームメモリ３６Ａへの書き込みが完了すると、画質調整部３４は、第１切換部３３から出力された第２画像データＤＧ２に対し、今度は、パラメータ調整指示データＤｐに基づいて第２の画質調整用のパラメータのプリセット値Ｂ、例えば、画質調整用パラメータデータＭ２の明るさパラメータＰＭ１、コントラストパラメータＰＭ２、色の濃さパラメータＰＭ３、色相パラメータＰＭ４、シャープネスパラメータＰＭ５および色温度パラメータＰＭ６の６つのパラメータを適用し（ステップＳ２５）、画質調整画像データＤＧＣとして画面縮小部３５に出力する。
画面縮小部３５は、画質調整画像データＤＧＣに対応する画像の画面サイズを縮小して縮小画像データＤＣを出力し、この縮小画像データＤＣの出力と並行して、メモリ設定部２０は、縮小画像データＤＣの記憶先を第２フレームメモリ３６Ｂに設定するので、画質調整用のパラメータのプリセット値Ｂを適用することによって得られた画質調整画像データＤＧＣは、第２フレームメモリ３６Ｂに書き込まれ、記憶されることとなる（ステップＳ２６）。
【００３１】
画質調整用のパラメータのプリセット値Ｂを適用することによって得られた画質調整画像データＤＧＣの第２フレームメモリ３６Ｂへの書き込みが完了すると、画質調整部３４は、第１切換部３３から出力された第２画像データＤＧ２に対し、今度は、パラメータ調整指示データＤｐに基づいて第３の画質調整用のパラメータのプリセット値Ｃ、例えば、画質調整用パラメータデータＭ３の明るさパラメータＰＭ１、コントラストパラメータＰＭ２、色の濃さパラメータＰＭ３、色相パラメータＰＭ４、シャープネスパラメータＰＭ５および色温度パラメータＰＭ６の６つのパラメータを適用し（ステップＳ２７）、画質調整画像データＤＧＣとして画面縮小部３５に出力する。
画面縮小部３５は、画質調整画像データＤＧＣに対応する画像の画面サイズを縮小して縮小画像データＤＣを出力し、この縮小画像データＤＣの出力と並行して、メモリ設定部４０は、縮小画像データＤＣの記憶先を第２フレームメモリ３６Ｃに設定するので、画質調整用のパラメータのプリセット値Ｃを適用することによって得られた画質調整画像データＤＧＣは、第２フレームメモリ３６Ｃに書き込まれ、記憶されることとなる（ステップＳ２８）。
【００３２】
画質調整用のパラメータのプリセット値Ｃを適用することによって得られた画質調整画像データＤＧＣの第２フレームメモリ３６Ｃへの書き込みが完了すると、画質調整部３４は、第１切換部３３から出力された第２画像データＤＧ２に対し、今度は、パラメータ調整指示データＤｐに基づいて第４の画質調整用のパラメータのプリセット値Ｄ、例えば、現在設定されている画質調整用パラメータデータ（デフォルト値）の明るさパラメータＰＭ１、コントラストパラメータＰＭ２、色の濃さパラメータＰＭ３、色相パラメータＰＭ４、シャープネスパラメータＰＭ５および色温度パラメータＰＭ６の６つのパラメータを適用し（ステップＳ２９）、画質調整画像データＤＧＣとして画面縮小部３５に出力する。
画面縮小部３５は、画質調整画像データＤＧＣに対応する画像の画面サイズを縮小して縮小画像データＤＣを出力し、この縮小画像データＤＣの出力と並行して、メモリ設定部２０は、縮小画像データＤＣの記憶先を第２フレームメモリ３６Ｄに設定するので、画質調整用のパラメータのプリセット値Ｄを適用することによって得られた画質調整画像データＤＧＣは、第２フレームメモリ３６Ｄに書き込まれ、記憶されることとなる（ステップＳ３０）。
次に合成部３７は、第２フレームメモリ３６Ａ〜３６Ｄからそれぞれに対応する画質調整画像データＤＧＣを読み出し、１画面に合成し、第２切換部４１に出力する。
このとき、ＭＰＵ２１は、操作部１８の操作による第２選択指示信号Ｓｓ２が入力されているので、第２切換部４１として機能し、合成部３７から出力された合成比較画像データＤＣＣを表示部４２に出力し、合成比較画面を表示する（ステップＳ３１）。
【００３３】
図１０は、合成比較画面の表示例の説明図である。
図１０に示すように、合成比較画面６０は、画質調整用のパラメータのプリセット値Ａを適用することによって得られた第２フレームメモリ３６Ａに格納された画質調整画像データＤＧＣに対応する画像を表示する第１画像表示領域６１Ａと、画質調整用のパラメータのプリセット値Ｂを適用することによって得られた第２フレームメモリ３６Ｂに格納された画質調整画像データＤＧＣに対応する画像を表示する第２画像表示領域６１Ｂと、画質調整用のパラメータのプリセット値Ｃを適用することによって得られた第２フレームメモリ３６Ｃに格納された画質調整画像データＤＧＣに対応する画像を表示する第３画像表示領域６１Ｃと、画質調整用のパラメータのプリセット値Ｄ（デフォルト）を適用することによって得られた第２フレームメモリ３６Ｄに格納された画質調整画像データＤＧＣに対応する画像を表示する第４画像表示領域６１Ｄと、を備えている。
【００３４】
これにより、ユーザは、第１画像表示領域６１Ａ〜第４画像表示領域６１Ｄに表示された画像のうち、所望の画質を有する画像を操作部１８を介して指示し、選択する（ステップＳ３２）。この場合において、第１画像表示領域６１Ａ〜第４画像表示領域６１Ｄに表示された画像の画質は、予め選択された画質調整用パラメータ（プリセット値）に依存することとなるが、画像入力端子３１から入力された元の画像（第１画像データＤＧ１に対応する画像）のもともとの画質や、視聴環境（環境光など）によって最もユーザが適していると考える画質に容易に調整することが可能となる。
【００３５】
この結果、ＭＰＵ２１は、選択した画像に対応する画質調整用パラメータ群（＝ＰＭ１〜ＰＭ６）を画質調整部３４に設定する（ステップＳ１３）。この結果、例えば、第２画像表示領域６１Ｂに表示されている画像が選択された場合には、画質調整用のパラメータのプリセット値Ｂが画質調整部３４に設定されることとなる。
そして、操作部３８を介した画像の選択がなされると、第１選択指示信号Ｓｓ１により、第１切換部３３が画像入力端子３１側に切り換えられ、第２選択指示信号Ｓｓ２により、第２切換部４１が画質調整部３４側に切り換えられる（ステップＳ３４）。
この結果、画像入力端子３１から入力された第１画像データＤＧ１は、画質調整部３４に入力され、画質調整部３４は、第１切換部３３を介して入力された第１画像データＤＧ１に対し、パラメータ調整指示データＤｐに基づいて、画質調整用のパラメータのプリセット値Ｂを適用し、第２切換部４１を介して表示部４２に出力することとなり、表示部４２には、ユーザが選択した画質に対応する、画質調整用のパラメータのプリセット値Ｂが適用された画像が表示されることとなる（ステップＳ１６）。
【００３６】
これにともない、ＭＰＵ２１は、送信部２９として機能し、画質調整用パラメータ群の選択結果を画質調整用パラメータ提供サーバ３へ送信することとなる。
一方、画質調整用パラメータ提供サーバ３は、選択情報保存部５５として機能し、画質調整用パラメータ群の選択結果を保存し、次回以降に利用することとなる。
以上の説明のように、本第１実施形態によれば、ユーザは、画質調整を行う場合に、複数の縮小画面から所望の縮小画面を選択することにより、ユーザにとってより最適な画質に容易に設定することが可能となる。
以上の説明は、一つの合成比較画面に画質調整用パラメータ提供サーバ３が推奨する画質調整用パラメータに対応する画像が収まる場合のものであったが、合成比較画面が複数生成される場合には、各合成比較画面において、ユーザが望む上位の一つあるいは二つの画質調整用パラメータ群を選択させ、選択された画質調整用パラメータ群に基づいて新たな合成比較画面を表示し、選択させるように構成することも可能である。
また、以上の説明では、ユーザに一つの画質調整用パラメータ群を選択させる構成を採っていたが、複数（例えば、二つ）の画質調整用パラメータ群を選択させ、対応する画質調整用パラメータＰＭ１〜ＰＭ６の線形補間を行って選択した画質調整用パラメータ群に対応する画質調整用パラメータＰＭ１〜ＰＭ６の中間値を有する画質調整用パラメータ群を生成するように構成することも可能である。
以上の説明においては、選択結果を利用して表示する順番を決定していたが、任意の順番で合成比較画面中に縮小画像を表示するように構成することも可能である。
【００３７】
［２］第２実施形態
以上の第１実施形態においては、複数の画像表示装置１０-Xを通信ネットワーク４を介して画質調整用パラメータ提供サーバ３に接続し、画質調整用パラメータ提供サーバ３がクライアントである画像表示装置１０-1、１０-2に画質調整用パラメータ群を提供する構成となっていたが、複数の画像表示装置のそれぞれをピアツーピア接続し、各画像表示装置あるいは一部の画像表示装置に画質調整用パラメータ提供機能および画質調整用パラメータデータベースを持たせることによって第１実施形態と同様の効果を得ることが可能である。
図１１は、第２実施形態の画質調整システムの概要構成ブロック図である。
画質調整システム１Ａは、推奨する画質調整用パラメータ群を予め複数格納した画質調整用パラメータデータベース（ＤＢ）２が接続された複数の画像表示装置１０-1〜１０-3と、を複数の画像表示装置１０-1〜１０-3を互いにピアツーピア接続している通信ネットワーク４と、を備えて構成されている。
上記構成によれば、各画像表示装置１０-1〜１０-3は、互いに他の画像表示装置に対して第１実施形態における画質調整用パラメータ提供サーバ３と同様の機能を提供することにより、別途サーバを設けることなく、第１実施形態と同様の効果を得ることが可能である。
【００３８】
［３］実施形態の変形例
以上の説明においては、比較用画面に複数の縮小画面を表示するに際し、デフォルトの画質調整用パラメータを除き、画質調整用パラメータを画質調整用パラメータ提供サーバから提供されたものを用いていたが、予め画像表示装置にセットされているプリセット値を用いるようにしたり、ユーザが予め設定したユーザプリセット値を用いるように構成することも可能である。
以上の説明においては、複数の画像表示装置が同一の画質調整機能を実現可能であることを前提に説明したが、必ずしも同一の画質調整機能を実現できない装置であっても、画質調整用パラメータの変換が行えるなど、対応付けが可能な画像表示装置同士であれば、同様に適用が可能である。
【００３９】
以上の説明においては、上記各機能を実現するための制御プログラムが、予めＲＯＭに格納されている場合について説明したが、制御プログラムを、コンピュータ読取可能な記録媒体に記録するようにしてもよい。このような構成であれば、コンピュータによってプログラムが記憶媒体から読み取られ、読み取られたプログラムに従ってコンピュータが処理を実行すると、上記実施形態の画像情報処理装置と同等の作用および効果が得られる。
ここで、記憶媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、どのような記憶媒体であってもよい。
また、インターネット、ＬＡＮなどの通信ネットワークを介して制御用プログラムをダウンロードし、インストールして実行するように構成することも可能である。
【図面の簡単な説明】
【００４０】
【図１】第１実施形態の画質調整システムの概要構成ブロック図である。
【図２】画像表示装置の概要構成ブロック図である。
【図３】画像表示装置の機能ブロック図である。
【図４】画像表示装置の画質調整部の機能ブロック図である。
【図５】画質調整用パラメータ提供サーバの機能ブロック図である。
【図６】画質調整用パラメータデータベースの構成例を説明する図である。
【図７】第１実施形態の処理フローチャートである。
【図８】表示対象の画像に相当する第１画像データの一例の説明図である。
【図９】比較画面表示処理の処理フローチャートである。
【図１０】合成比較画面の表示例の説明図である。
【図１１】第２実施形態の画質調整システムの概要構成ブロック図である。
【符号の説明】
【００４１】
１…画質調整システム、１Ａ…画質調整システム、２…画質調整用パラメータデータベース、３…画質調整用パラメータ提供サーバ、４…通信ネットワーク、１０…画像表示装置、１１…画像表示装置本体、１２…画像入力装置、１３…入力装置、１４…表示装置、１５…外部記憶装置、１８…操作部、２０…メモリ設定部、２１…ＭＰＵ、２２…ＲＯＭ、２３…ＲＡＭ、２４…通信インタフェース部、２５…画質調整部、２６…コンテンツ取得部、２７…カテゴリ取得部、２８…画像特徴量算出部、２９…送信部、３０…受信部、３１…画像入力端子、３２…第１フレームメモリ、３３…第１切換部、３４…画質調整部、３５…画面縮小部、３６Ａ…第２フレームメモリ、３６Ｂ…第２フレームメモリ、３６Ｃ…第２フレームメモリ、３６Ｄ…第２フレームメモリ、３７…合成部、３８…操作部、３９…パラメータ調整部、４０…メモリ設定部、４１…第２切換部、４２…表示部、５１…受信部、５２…送信部、５３…画質調整用パラメータ決定部、５４…画質調整用パラメータ保存部、５５…選択情報保存部、６０…合成比較画面、６１Ａ…第１画像表示領域、６１Ｂ…第２画像表示領域、６１Ｃ…第３画像表示領域、６１Ｄ…第４画像表示領域、ＤＣ１〜ＤＣ４…第１縮小画像データ〜第４縮小画像データ、ＤＣＧ１…上位カテゴリデータ、ＤＣＧ２…下位カテゴリデータ、ＤＧ１…第１画像データ、ＤＧ２…第２画像データ、Ｇ１…画像、Ｍ１…画質調整用パラメータデータ、Ｍ２…画質調整用パラメータデータ、ＰＭ１…画質調整用パラメータ、ＰＭ２…コントラストパラメータ、ＰＭ３…パラメータ、ＰＭ４…色相パラメータ、ＰＭ５…シャープネスパラメータ、ＰＭ６…色温度パラメータ、Ｓｓ１…第１選択指示信号、Ｓｓ２…第２選択指示信号。
【図１】
2008225372.tif 000003
【図２】
2008225372.tif 000004
【図３】
2008225372.tif 000005
【図４】
2008225372.tif 000006
【図５】
2008225372.tif 000007
【図６】
2008225372.tif 000008
【図７】
2008225372.tif 000009
【図８】
2008225372.tif 000010
【図９】
2008225372.tif 000011
【図１０】
2008225372.tif 000012
【図１１】
2008225372.tif 000013